(57)【特許請求の範囲】
【請求項１】
シート体を挿通させる開口部を開閉する蓋体が設けられた容器を、処理装置の容器装填部から排出するためのシート体用容器の排出機構であって、
前記蓋体に係合して該蓋体の閉動を行うとともに、回転作用下に前記容器を自動的に所定の位置まで送り出し可能な蓋閉めローラと、
前記蓋閉めローラを回転駆動する回転駆動源と、
前記回転駆動源による回転力を前記蓋閉めローラに対して伝達および遮断可能なクラッチ手段と、
を備え、前記蓋閉めローラは、前記回転駆動源を介して回転することにより、前記容器を前記容器装填部から自動的に所定の位置まで送り出しながら、前記蓋体の閉動を行うことを特徴とするシート体用容器の排出機構。
【請求項２】
請求項１記載の排出機構において、前記蓋閉めローラは、軸方向に所定間隔離間して複数のローラ部を備えるとともに、
前記ローラ部は、部分的に異なる硬度に設定されることを特徴とするシート体用容器の排出機構。
【請求項３】
請求項２記載の排出機構において、それぞれの前記ローラ部は、同一の直径に設定されるとともに、
寸法の異なる前記容器の一端側が揃えられる基準位置に沿って設けられる基準ローラ部と、
寸法の小さな前記容器に対応して設けられる第１ローラ部と、
寸法の大きな前記容器に対応して設けられる第２ローラ部と、
を備え、
前記基準ローラおよび前記第２ローラ部は、前記第１ローラ部よりも高い硬度に設定されることを特徴とするシート体用容器の排出機構。
【請求項４】
請求項１記載の排出機構において、前記蓋閉めローラに接触する前記容器を除電するための除電手段を備えることを特徴とするシート体用容器の排出機構。
【請求項５】
請求項４記載の排出機構において、前記除電手段は、前記蓋閉めローラのゴム部に接触する除電ブラシを備えることを特徴とするシート体用容器の排出機構。
【請求項６】
請求項４または５記載の排出機構において、前記除電手段は、導電性材料で形成される前記蓋閉めローラに接触する導電性接地部材を備えることを特徴とするシート体用容器の排出機構。
【請求項７】
請求項１記載の排出機構において、前記回転駆動源は、前記シート体を前記容器から取り出す動作および／または前記シート体を前記容器に送り込む動作を行うシート体搬送機構を構成するモータが兼用することを特徴とするシート体用容器の排出機構。
【発明の詳細な説明】
【０００１】
【発明の属する技術分野】
本発明は、シート体を挿通する開口部を開閉する蓋体が設けられた容器を、処理装置の容器装填部から排出するためのシート体用容器の排出機構に関する。
【０００２】
【従来の技術】
例えば、蓄積性蛍光体（輝尽性蛍光体）を利用して、人体等の被写体の放射線画像情報を一旦記録し、この放射線画像情報を写真フイルム等の写真感光材料等に再生し、あるいはＣＲＴ等に可視像として出力させるシステムが知られている。
【０００３】
蓄積性蛍光体は、放射線（Ｘ線、α線、γ線、電子線、紫外線等）の照射によりこの放射線エネルギの一部を蓄積し、後に可視光等の励起光の照射によって、蓄積されたエネルギに応じて輝尽発光を示す蛍光体をいう。この蓄積性蛍光体は、取り扱いの容易性等から、通常、シート状である蓄積性蛍光体シート（シート体）として使用されている。
【０００４】
上記システムでは、例えば、予め放射線画像情報が記録された蓄積性蛍光体シートが収容されたカセッテ（容器）を装填するカセッテ装填部と、前記カセッテから取り出された前記蓄積性蛍光体シートに担持された放射線画像情報を読み取る読み取り部と、前記蓄積性蛍光体シートに残存する放射線画像情報を消去する消去部とを組み込むカセッテ方式の画像情報読取装置が採用されている。
【０００５】
上記のカセッテ装填部では、読み取り処理および消去処理後の蓄積性蛍光体シートがカセッテ内に戻されると、操作者によりこのカセッテを前記カセッテ装填部から引き抜く動作が行われる。このため、カセッテは、引き抜き動作に伴って閉蓋手段の作用下に蓋体が閉動された状態で、カセッテ装填部から取り出されることになる。
【０００６】
【発明が解決しようとする課題】
しかしながら、上記のように、カセッテの取り出し作業を操作者の手作業に依存しているため、前記カセッテが勢いよく引き抜かれると、蓋体が閉まる前に該カセッテ内から蓄積性蛍光体シートの一部または全体が飛び出す場合がある。これにより、蓄積性蛍光体シートに損傷が惹起されるとともに、前記蓄積性蛍光体シートが装置内に入り込んでしまうという問題が指摘されている。
【０００７】
本発明はこの種の問題を解決するものであり、容器の着脱動作に影響されることがなく、前記容器からシート体が飛び出すことを確実に阻止することが可能なシート体用容器の排出機構を提供することを目的とする。
【０００８】
【課題を解決するための手段】
本発明に係るシート体用容器の排出機構では、処理装置の容器装填部から容器を排出する際に、まず、クラッチ手段を介して回転駆動源による回転力が蓋閉めローラに伝達される。このため、前記蓋閉めローラが回転して容器を容器装填部から自動的に所定の位置まで送り出すとともに、前記容器の開口部を開放していた蓋体が閉動される。次いで、操作者の手作業により、容器を容器装填部から取り出す作業が行われる。
【０００９】
これにより、蓋閉めローラの回転作用下に、容器内のシート体が飛び出さない位置までこの容器が送り出されるため、その後に操作者が前記容器を容器装填部から勢いよく引き抜いても、前記シート体の飛び出しが確実に阻止される。従って、操作者が容器を引き抜く際に、シート体が飛び出してこのシート体に損傷が惹起することがなく、しかも、前記シート体が処理装置内に入り込むことを有効に阻止することが可能になる。
【００１０】
さらに、蓋閉めローラと回転駆動源とは、クラッチ手段を介して遮断可能である。このため、操作者が手作業により容器を容器装填部から取り出す際や、この容器を前記容器装填部に装填する際に、蓋閉めローラの回転が回転駆動源に伝達されることがなく、操作者に過度の負荷を付与することを確実に阻止することができる。
【００１１】
また、蓋閉めローラは、軸方向に所定間隔離間して複数のローラ部を備えるとともに、前記ローラ部が部分的に異なる硬度に設定されている。従って、容器の繰り返し装填により蓋閉めローラが摩耗することを、有効に抑制することが可能になる。
【００１２】
しかも、それぞれのローラ部は、同一の直径に設定されるとともに、寸法の異なる容器の一端側が揃えられる基準位置に沿って設けられる基準ローラ部と、寸法の小さな前記容器に対応して設けられる第１ローラ部と、寸法の大きな前記容器に対応して設けられる第２ローラ部とを備え、前記基準ローラ部および前記第２ローラ部が、前記第１ローラ部よりも高い硬度に設定されている。
【００１３】
これにより、基準ローラ部は、所望の耐摩耗性と搬送力を確保することができ、容器を確実に所定の位置まで自動的に送り出すことが可能になる。一方、第１ローラ部は、所望の耐摩耗性と変形性（可撓性）を有する。このため、例えば、蓋体が変形していても、第１ローラ部が容易に変形して蓋閉めローラが片当たりすることを有効に阻止することができる。その上、基準ローラ部、第１ローラ部および第２ローラ部が一体的に回転するように構成されるため、例えば、前記基準ローラ部をフリーローラ構造にするものに比べ、蓋閉めローラ全体の構成が簡素化し、経済的なものになる。
【００１４】
また、蓋閉めローラに接触する容器を除電するための除電手段が設けられており、前記容器内のシート体が帯電することによって、例えば、画像処理に影響を与えることを有効に回避することが可能になる。ここで、除電手段は、蓋閉めローラのゴム部に接触する除電ブラシや、導電性材料で形成される蓋閉めローラに接触する導電性接地部材を備えている。これにより、簡単な構成で、容器を確実に除電することができる。
【００１５】
さらにまた、回転駆動源は、シート体を容器に対して取り出し動作および／または搬入動作を行うシート体搬送機構を構成するモータが兼用している。従って、排出機構専用のモータが不要になり、構成が有効に簡素化されるとともに、経済的なものとなる。
【００１６】
【発明の実施の形態】
図１は、本発明の実施形態に係るシート体用容器の排出機構が組み込まれる処理装置である画像情報読取装置１０の内部構成説明図である。
【００１７】
画像情報読取装置１０を構成する装置本体１２内には、予め被写体の放射線画像情報が一旦記録された蓄積性蛍光体シート（シート体）Ｓが収容されたカセッテ（容器）１４を装填するカセッテ装填部（容器装填部）１６と、前記放射線画像情報が記録された前記蓄積性蛍光体シートＳに励起光であるレーザ光Ｌを照射して前記放射線画像情報を光電的に読み取る読み取り部１８と、読み取り後に前記蓄積性蛍光体シートＳに残存する放射線画像情報を消去する消去部２０とが組み込まれる。
【００１８】
カセッテ１４は、蓄積性蛍光体シートＳを収容する筐体２２と、前記蓄積性蛍光体シートＳの取り出し動作および挿入動作を行うために、前記筐体２２の端部に開口部２３を開閉可能に装着される蓋体２４とを備える。図示しないが、蓋体２４は、筐体２２の端部にヒンジを介して揺動可能に取り付けられている。カセッテ装填部１６は、カセッテ１４を水平姿勢で挿入するとともに、蓋体２４を開放する図示しない蓋体開放手段と、蓄積性蛍光体シートＳを吸着保持して前記カセッテ１４から取り出すとともに、読み取りおよび消去後の前記蓄積性蛍光体シートＳを前記カセッテ１４に送り込む搬送機構２６とを設ける。このカセッテ装填部１６には、カセッテ１４を排出するための本実施形態に係る排出機構２８が組み込まれている。
【００１９】
図２および図３に示すように、搬送機構２６は、カセッテ装填部１６で蓋体２４が開放されたカセッテ１４内の蓄積性蛍光体シートＳを吸着保持可能な吸着手段３０と、前記吸着手段３０を所定の搬送軌跡に沿って案内するガイド手段３２と、前記吸着手段３０を前記ガイド手段３２の案内作用下に移動させる駆動手段３４とを備える。
【００２０】
搬送機構２６は、蓄積性蛍光体シートＳの取り出し方向（矢印Ｅ方向）と交差する矢印Ｆ方向に所定の間隔だけ離間する側板３６ａ、３６ｂを設ける。側板３６ａには、駆動手段３４を構成するモータ３８が固定され、このモータ３８の駆動軸３８ａに駆動歯車４０が軸着される。この駆動歯車４０には複数の歯車で構成される歯車列４２が噛合するとともに、前記歯車列４２に従動歯車４４が噛合する。従動歯車４４は、回転軸４６の一端側に固着されるとともに、前記回転軸４６は、矢印Ｆ方向に延在して側板３６ａ、３６ｂに両端支持されている。回転軸４６の両端には、旋回アーム４８が固着され、前記旋回アーム４８の突出端部にリンク５０の一端が揺動自在に連結される。
【００２１】
側板３６ａ、３６ｂには、吸着手段３０を蓄積性蛍光体シートＳの被吸着盤（記録面とは反対側の裏面）に対し上方から斜め下方に傾斜する搬送軌跡に沿って移動させるために、ガイド手段３２を構成するガイド溝５２、５４が設けられる。ガイド溝５２、５４は、それぞれ所定の形状に設定されており、吸着手段３０を構成する可動アーム部材５６の両端には、前記ガイド溝５２、５４に対応して第１支軸５８および第２支軸６０が固着される。第１支軸５８は、ガイド溝５２から外方に突出してリンク５０の他端に係合するとともに、前記第１および第２支軸５８、６０が連結部材６２により互いに支持されている。
【００２２】
可動アーム部材５６には、取り付け部材６４が取り外し自在に装着されるとともに、前記取り付け部材６４に吸着盤６６ａ、６６ｂが取り付けられる。吸着盤６６ａ、６６ｂは、取り付け部材６４と一体的に可動アーム部材５６に対して着脱可能に構成される。吸着盤６６ａ、６６ｂの上部側にホース接続用継手７４ａ、７４ｂが装着されるとともに、前記継手７４ａ、７４ｂにホース７６ａ、７６ｂの一端が連結されており、前記ホース７６ａ、７６ｂの他端が図示しない真空発生源に連通している。
【００２３】
排出機構２８は、カセッテ１４の蓋体２４に係合してこの蓋体２４の閉動を行うとともに、前記カセッテ１４を自動的に所定の位置まで送り出し可能な蓋閉めローラ８０と、前記蓋閉めローラ８０を回転駆動する回転駆動源であるモータ３８と、前記モータ３８による回転力を前記蓋閉めローラ８０に対して伝達および遮断可能な電磁クラッチ（クラッチ手段）８２とを備える。図１に示すように、カセッテ１４がカセッテ装填部１６に装填された状態で、前記カセッテ１４の端部に揺動可能に取り付けられている蓋体２４が開放されるとともに、前記カセッテ１４には、前記蓋体２４の装填方向後方に位置して蓋閉めローラ８０が摺接している。
【００２４】
蓋閉めローラ８０は、カセッテ１４の着脱方向（矢印Ｅ方向）に交差する矢印Ｆ方向に延在して側板３６ａ、３６ｂに回転自在に支持される。蓋閉めローラ８０は、導電性材料で形成される軸部８４と、この軸部８４の外周に所定の幅寸法を有しかつ所定の間隔ずつ離間して設けられる複数のゴム部８６、例えば、寸法の異なるカセッテ１４の一端側が揃えられる基準位置に沿って設けられた基準ローラ部８６ａと、寸法の小さな前記カセッテ１４に対応して設けられる第１ローラ部８６ｂ、８６ｃと、寸法の大きな前記カセッテ１４に対応して設けられる第２ローラ部８６ｄとを備える。基準ローラ部８６ａ、第１ローラ部８６ｂ、８６ｃおよび第２ローラ部８６ｄは、同一の直径に設定されるとともに、軸部８４に一体的に固着されている。
【００２５】
基準ローラ部８６ａおよび第２ローラ部８６ｄは、第１ローラ部８６ｂ、８６ｃよりも高い硬度に設定される。具体的には、基準ローラ部８６ａおよび第２ローラ部８６ｄは、所望の耐摩耗性およびカセッテ１４の所望の搬送力を有する必要があり、ゴム硬度が７０゜±１５゜に設定される、例えば、ＮＢＲ（ニトリルゴム）が使用される。第１ローラ部８６ｂ、８６ｃは、所望の耐摩耗性および変形性（低硬度）を有する必要があり、ゴム硬度が２５゜〜３５゜の範囲に設定される、例えば、ＥＰＤＭ（エチレンプロピレンジエンゴム）が使用される。
【００２６】
なお、基準ローラ部８６ａ、第１ローラ部８６ｂ、８６ｃおよび第２ローラ部８６ｄの材質は、上記の要求を満たすものであれば、種々採用可能であり、例えば、エラストマー樹脂を用いてもよい。
【００２７】
蓋閉めローラ８０の一端側には、駆動歯車４０に噛合する従動歯車８８を備えた電磁クラッチ８２が装着される。
【００２８】
排出機構２８は、蓋閉めローラ８０に接触するカセッテ１４を除電するための除電手段９０を備える。図２および図４に示すように、この除電手段９０は、蓋閉めローラ８０のゴム部８６に接触する除電ブラシ９２と、前記蓋閉めローラ８０の軸部８４に接触する導電性接地部材である板ばね９４とを設けている。
【００２９】
除電ブラシ９２は、矢印Ｆ方向に延在して配置されており、取り付け部９６に止めねじ９８を螺合することによって前記除電ブラシ９２の長手方向両端が固定されている。この除電ブラシ９２のブラシ部分は、蓋閉めローラ８０を構成するゴム部８６に、常時、接触している。蓋閉めローラ８０の他端側には、板ばね９４が配置される。この板ばね９４は、蓋閉めローラ８０を構成する軸部８４の端面に、常時、接触するとともに、側板３６ｂに固着されてこの側板３６ｂを介して接地されている。
【００３０】
図１に示すように、搬送機構２６の下方には、往復搬送系１０２を介して消去部２０および読み取り部１８が配設される。往復搬送系１０２は、互いに対をなすローラ対１０４を複数備えており、このローラ対１０４により構成される鉛直搬送路に消去部２０が配置され、さらに前記ローラ対１０４により構成される水平搬送路の上方に読み取り部１８が配置される。この消去部２０は、水平方向に延在する複数の消去用光源１０６を備えている。なお、消去用光源１０６は、１本で構成してもよく、また、鉛直方向に延在して配置してもよい。
【００３１】
読み取り部１８は、蓄積性蛍光体シートＳを水平方向（矢印Ｘ方向）に副走査搬送する副走査搬送手段１０８と、副走査搬送されている前記蓄積性蛍光体シートＳに対し走査光としてレーザ光Ｌを略鉛直下方向（矢印Ｙ方向）に照射して主走査するレーザ光照射手段１１０と、前記蓄積性蛍光体シートＳから発せられる輝尽発光光を集光し、前記蓄積性蛍光体シートＳに担持されている放射線画像情報を光電的に読み取る読み取り手段１１２とを備える。
【００３２】
レーザ光照射手段１１０は、レーザ光Ｌを一旦水平方向に導出した後、略鉛直下方向に屈曲させてこのレーザ光Ｌを蓄積性蛍光体シートＳに照射するための光学系１１４を設けている。蓄積性蛍光体シートＳのレーザ光Ｌの照射位置近傍には、このレーザ光Ｌの照射によって前記蓄積性蛍光体シートＳから発せられる輝尽発光光を集光する集光ガイド１１６および反射ミラー１１８が配置されている。この集光ガイド１１６には、フォトマルチプライヤ１２０が接続されて読み取り手段１１２が構成されている。副走査搬送手段１０８は、水平方向（矢印Ｘ方向）に互いに所定間隔離間して配置されている第１および第２ローラ対１２２、１２４を備える。
【００３３】
このように構成される画像情報読取装置１０の動作について、以下に説明する。
【００３４】
まず、装置本体１２の上部に設けられているカセッテ装填部１６にカセッテ１４が水平方向に指向して装着される。このカセッテ１４内には、予め図示しない被写体の放射線画像情報が記録された蓄積性蛍光体シートＳを収容しており、前記カセッテ装填部１６に設けられた図示しない蓋体開放手段の作用下に、蓋体２４が開放される。
【００３５】
次いで、駆動手段３４が駆動されて吸着盤６６ａ、６６ｂがカセッテ１４内に移動する。すなわち、図２および図３に示すように、駆動手段３４では、モータ３８の駆動作用下に駆動歯車４０、歯車列４２および従動歯車４４を介して回転軸４６が所定方向に回転する。このため、回転軸４６の両端に固着されている旋回アーム４８が旋回し、各旋回アーム４８にリンク５０を介して連結される可動アーム部材５６は、ガイド手段３２を構成するガイド溝５２、５４の案内作用下に、カセッテ１４側に移動する。
【００３６】
可動アーム部材５６には、吸着盤６６ａ、６６ｂが取り付けられており、この吸着盤６６ａ、６６ｂは、ガイド手段３２の案内作用下に、カセッテ１４内の蓄積性蛍光体シートＳの被吸着面に対して上方から斜め下方に傾斜する搬送軌跡に沿って移動する。次に、吸着盤６６ａ、６６ｂにより蓄積性蛍光体シートＳが吸着保持された状態で、駆動手段３４を構成するモータ３８が逆方向に駆動される。
【００３７】
このため、可動アーム部材５６と吸着盤６６ａ、６６ｂとが、ガイド手段３２の案内作用下に一体的にカセッテ１４内から往復搬送系１０２側に移動し、このカセッテ１４内の蓄積性蛍光体シートＳは、前記吸着盤６６ａ、６６ｂに吸着されて前記カセッテ１４から取り出される。カセッテ１４から取り出された蓄積性蛍光体シートＳの先端がローラ対１０４に挟持されるのと略同時に、吸着盤６６ａ、６６ｂによる前記蓄積性蛍光体シートＳの吸着保持が解除される。
【００３８】
これにより、蓄積性蛍光体シートＳは、複数のローラ対１０４の回転作用下に鉛直下方向に向かって搬送される。この蓄積性蛍光体シートＳは、消去部２０を通過して読み取り部１８を構成する副走査搬送手段１０８に送られる。なお、上記の蓄積性蛍光体シートＳの取り出し動作中に、モータ３８の回転力が電磁クラッチ８２を介して蓋閉めローラ８０に伝達されないように制御される。
【００３９】
図１に示すように、副走査搬送手段１０８では、蓄積性蛍光体シートＳが第１および第２ローラ対１２２、１２４に挟持されて矢印Ｘ方向（水平方向）に副走査搬送される一方、レーザ光照射手段１１０からレーザ光Ｌが導出される。このレーザ光Ｌは、一旦水平方向に進んだ後、光学系１１４を介して略鉛直下方向（矢印Ｙ方向）に指向し、蓄積性蛍光体シートＳの撮影面に照射されて主走査が行われる。レーザ光Ｌの照射により蓄積性蛍光体シートＳの撮影面から輝尽発光光が生じ、この輝尽発光光が直接または反射ミラー１１８から集光ガイド１１６を介してフォトマルチプライヤ１２０により光電的に読み取られる。
【００４０】
放射線画像情報の読み取りが終了した蓄積性蛍光体シートＳは、副走査搬送手段１０８が逆方向に駆動されることによって鉛直上方向に搬送され、消去部２０に送られる。この消去部２０では、消去用光源１０６が付勢されており、蓄積性蛍光体シートＳに残存する放射線画像情報の消去が行われる。消去後の蓄積性蛍光体シートＳはカセッテ１４に戻された後、排出機構２８の作用下に蓋体２４が閉じられるとともに、前記カセッテ１４がカセッテ装填部１６から自動的に所定の位置まで送り出される。次いで、操作者がカセッテ１４をカセッテ装填部１６から取り出した後、このカセッテ１４に対して図示しない放射線画像情報の撮影処理が施される。
【００４１】
この場合、本実施形態では、カセッテ１４を取り出す際には、まず、排出機構２８を構成するモータ３８が駆動されるとともに、電磁クラッチ８２が付勢されて従動歯車８８が蓋閉めローラ８０に連結される。このため、モータ３８の作用下に駆動歯車４０が、図３中、矢印Ｇ方向に回転し、この駆動歯車４０に噛合する従動歯車８８が矢印Ｈ方向に回転する。蓋閉めローラ８０は、従動歯車８８と一体的に矢印Ｈ方向に回転し、ゴム部８６がカセッテ１４の上面側に摺接した状態で回転する。
【００４２】
従って、蓋閉めローラ８０が摺接しているカセッテ１４は、前記蓋閉めローラ８０の矢印Ｈ方向の回転作用下に、矢印Ｅ１方向に送り出される。カセッテ１４の端部に取り付けられている蓋体２４は、開放姿勢を有しており、前記カセッテ１４が矢印Ｅ１方向に送り出されることにより、前記カセッテ１４と一体に矢印Ｅ１方向に送り出される前記蓋体２４が蓋閉めローラ８０に当接する。このため、矢印Ｈ方向に回転している蓋閉めローラ８０に蓋体２４が係合してこの蓋体２４が閉動される。次に、蓋閉めローラ８０は、蓋体２４に摺接しているため、前記蓋体２４が閉動されたカセッテ１４は、前記蓋閉めローラ８０の矢印Ｈ方向の回転作用下に、矢印Ｅ１方向に所定の位置まで自動的に送り出される。そして、電磁クラッチ８２を介して蓋閉めローラ８０が従動歯車８８から遮断された後、操作者は、カセッテ１４を把持してこのカセッテ１４をカセッテ装填部１６から取り出す。
【００４３】
このように、本実施形態では、蓋閉めローラ８０の回転作用下に、カセッテ１４がカセッテ装填部１６から所定の位置まで自動的に送り出されるとともに、蓋体２４が閉動された後、操作者の手作業による前記カセッテ１４の取り出し処理が施されている。従って、操作者がカセッテ１４を勢いよく引き抜いたとしても、蓋体２４が閉動されているために、このカセッテ１４内から蓄積性蛍光体シートＳの一部あるいは全体が飛び出すことを確実に阻止することができる。
【００４４】
これにより、蓄積性蛍光体シートＳが筐体２２と蓋体２４とに挟持されて損傷したり、往復搬送系１０２側に入り込んで損傷や搬送不良等が惹起したりすることがなく、カセッテ１４の排出作業が効率的かつ円滑に遂行されるという効果が得られる。
【００４５】
しかも、基準ローラ部８６ａおよび第２ローラ部８６ｄは、第１ローラ部８６ｂ、８６ｃよりも高い硬度に設定されている。具体的には、基準ローラ部８６ａおよび第２ローラ部８６ｄは、ゴム硬度が７０゜±１５゜に設定される、例えば、ＮＢＲ（ニトリルゴム）で構成されている。このため、常に、基準ローラ部８６ａ側を基準位置として装填される種々の寸法の異なるカセッテ１４は、基準ローラ部８６ａの回転作用下に取り出し処理が自動的かつ確実に施されるとともに、この作業が繰り返し行われても、前記基準ローラ部８６ａが摩耗することを有効に阻止することが可能になる。すなわち、基準ローラ部８６ａは、所望の耐摩耗性および搬送力を有することができる。なお、第２ローラ部８６ｄも、同様である。
【００４６】
一方、第１ローラ部８６ｂ、８６ｃは、ゴム硬度が２５゜〜３５゜の範囲に設定される、例えば、ＥＰＤＭ（エチレンプロピレンジエンゴム）で構成されている。従って、図５に示すように、カセッテ１４の蓋体２４に反りが発生していても、第１ローラ部８６ｂ、８６ｃが前記蓋体２４の形状に倣って容易に変形することが可能になる。これにより、第１ローラ部８６ｂ、８６ｃのみが蓋体２４に接触して圧力が分散することがなく、基準ローラ部８６ａ、第１ローラ部８６ｂ、８６ｃおよび第２ローラ部８６ｄが蓋体２４に確実に摺接し、カセッテ１４の取り出し処理が円滑かつ効率的に遂行されるという効果が得られる。すなわち、第１ローラ部８６ｂ、８６ｃは、所望の耐摩耗性および変形性（低硬度）を有することができる。
【００４７】
さらに、基準ローラ部８６ａ、第１ローラ部８６ｂ、８６ｃおよび第２ローラ部８６ｄは、同一の直径に設定されており、周速差が発生することがない。このため、基準ローラ部８６ａ、第１ローラ部８６ｂ、８６ｃおよび第２ローラ部８６ｄを軸部８４に一体的に固着することが可能になり、例えば、基準ローラ部８６ａを大径にし、かつこの基準ローラ部８６ａを前記軸部８４に回転自在なフリーローラとして構成する必要がない。従って、構成部品を低減して経済的なものになるとともに、カセッテ１４の自動排出処理を容易に遂行可能になる。
【００４８】
また、本実施形態では、蓋閉めローラ８０に除電手段９０を構成する除電ブラシ９２および板ばね９４が配置されている。この除電ブラシ９２は、蓋閉めローラ８０を構成するゴム部８６に、常時、摺接しており、カセッテ１４がカセッテ装填部１６に対して着脱される際に帯電しても、前記カセッテ１４に接触するゴム部８６から除電ブラシ９２を介して確実に除電が行われる。
【００４９】
一方、蓋閉めローラ８０を構成する軸部８４の端面に接地された板ばね９４が、常時、摺接している。このため、カセッテ１４に接触するゴム部８６から導電性材料で形成された軸部８４および板ばね９４を介して確実に除電処理が遂行される。しかも、除電ブラシ９２および板ばね９４を設けるだけでよく、除電手段９０の構成が有効に簡素化されるという利点がある。
【００５０】
さらにまた、本実施形態では、蓋閉めローラ８０の端部に電磁クラッチ８２が設けられており、カセッテ１４が操作者の手作業によって着脱される際に、前記蓋閉めローラ８０とモータ３８とが遮断されている。これにより、カセッテ１４を着脱する際に、操作者にモータ３８による過度の負荷が作用することがなく、前記カセッテ１４の着脱作業が円滑かつ容易に遂行される。
【００５１】
しかも、蓋閉めローラ８０を回転駆動するモータ３８は、搬送機構２６を構成する駆動手段３４の構成部品である。従って、蓋閉めローラ８０に専用のモータを用いる必要がなく、構成の簡素化が容易に図られるとともに、経済的であるという効果がある。
【００５２】
なお、本実施形態では、除電手段９０が除電ブラシ９２と、接地された板ばね９４とを備えているが、いずれか一方のみを使用してもよい。また、シート体として蓄積性蛍光体シートＳを用いて説明したが、これに限定されるものではなく、この蓄積性蛍光体シートＳに代替して写真フイルム等の他、各種のシート状記録媒体を使用可能である。
【００５３】
【発明の効果】
本発明に係るシート体用容器の排出機構では、まず、蓋閉めローラが回転駆動源を介して回転することにより、容器を容器装填部から自動的に所定の位置まで送り出しながら、前記容器を構成する蓋体の閉動が行われる。次いで、操作者が手作業により容器を容器装填部から引き抜けば、この引き抜き動作に影響されることがなく、前記容器内のシート体の飛び出しを確実に阻止することができる。
【００５４】
これにより、容器の引き抜き時にシート体が飛び出すことがなく、簡単な構成で、前記シート体の損傷等を可及的に防止するとともに、効率的な容器排出処理を確実に遂行可能になる。
【図面の簡単な説明】
【図１】本発明の実施形態に係る排出機構が組み込まれる画像情報読取装置の内部構成説明図である。
【図２】前記排出機構および搬送機構の概略斜視説明図である。
【図３】前記排出機構および前記搬送機構の概略側面説明図である。
【図４】前記排出機構を構成する板ばね側の概略斜視説明図である。
【図５】前記排出機構を構成する蓋閉めローラの動作説明図である。
【符号の説明】
１０…画像情報読取装置          １２…装置本体
１４…カセッテ                  １６…カセッテ装填部
１８…読み取り部                ２０…消去部
２６…搬送機構                  ２８…排出機構
３０…吸着手段                  ３２…ガイド手段
３４…駆動手段                  ３８…モータ
６６ａ、６６ｂ…吸着盤          ８０…蓋閉めローラ
８２…電磁クラッチ              ８４…軸部
８６…ゴム部                    ８６ａ…基準ローラ部
８６ｂ〜８６ｄ…ローラ部        ８８…従動歯車
９０…除電手段                  ９２…除電ブラシ
９４…板ばね                    １０２…往復搬送系
１０４…ローラ対                Ｓ…蓄積性蛍光体シート
【図１】
0004129117.tif 000002
【図２】
0004129117.tif 000003
【図３】
0004129117.tif 000004
【図４】
0004129117.tif 000005
【図５】
0004129117.tif 000006